(57)【要約】【課題】点光源によって原稿を照射するとき、光を拡散して、光量分布を均一にして原稿を照射し、原稿を確実に読み取ることができるようにする。【解決手段】画像読取装置１１は、原稿ガラス台４２上の原稿Ｄに、主走査方向に沿って配列された複数のＬＥＤ２２の光を照射して、原稿を読み取るようになっている。そして、原稿ガラス台４２とＬＥＤ２２との間に、ＬＥＤ２２の光を、主走査方向の光量分布を均一にして拡散する拡散部材２４を備えている。【選択図】図６
2008271158.tif 000002
【特許請求の範囲】
【請求項１】
光を通す原稿台上の原稿に、主走査方向に沿って配列された複数の点光源の光を照射して、前記原稿を読み取る画像読取装置において、
前記原稿台と前記点光源との間に、前記点光源の光を、前記主走査方向の光量分布を均一にして拡散する拡散部材を備えた、
ことを特徴とする画像読取装置。
【請求項２】
前記主走査方向に沿った点光源の列を平行に互いに離間させて複数列備え、
隣同士の列の前記点光源が、互いに間に位置するように配設され、
前記拡散部材は、前記点光源の光を、前記主走査方向の光量分布を均一に拡散する、
ことを特徴とする請求項１に記載の画像読取装置。
【請求項３】
前記主走査方向に沿った点光源の列を平行に互いに離間させて複数列備え、
隣同士の列の前記点光源が、互いに間に位置するように配設され、
前記拡散部材は、前記点光源の光を、副走査方向の光量分布を均一に拡散する、
ことを特徴とする請求項１に記載の画像読取装置。
【請求項４】
前記点光源が前記原稿を照射する照射領域の一部分が、隣の点光源同士で重なっている、
ことを特徴とする請求項１乃至３に記載の画像読取装置。
【請求項５】
前記拡散部材は、前記点光源に対向する位置にレンズ状の拡散部を備えて前記点光源を覆うカバーである、
ことを特徴とする請求項１乃至４のいずれか１項に記載の画像読取装置。
【請求項６】
前記拡散部材は、前記点光源の光を、前記主走査方向の光量分布を均一にして拡散した後、主走査方向において前記原稿台に対して直角に照射する、
ことを特徴とする請求項１乃至３に記載の画像読取装置。
【請求項７】
前記拡散部材は、前記点光源に対向する位置にレンズ状の拡散部と、前記拡散部によって拡散された光を前記原稿台に対して直角に照射する屈折部とを備えて前記点光源を覆うカバーである、
ことを特徴とする請求項６に記載の画像読取装置。
【請求項８】
前記点光源が、ＬＥＤである、
ことを特徴とする請求項１乃至７のいずれか１項に記載の画像読取装置。
【請求項９】
原稿の画像を読み取る画像読取装置と、
前記画像読取装置が読み取った画像情報に基づいてシートに画像を複写する画像形成部と、を備え、
前記画像読取装置が、請求項１乃至８のいずれか１項に記載の画像読取装置である、
ことを特徴とする画像形成装置。
【発明の詳細な説明】
【技術分野】
【０００１】
本発明は、原稿を読み取る画像読取装置と、その画像読取装置を装置本体に備えて、画像読取装置が読み取った画像情報に基づいてシートに画像を形成する画像形成装置とに関する。
【背景技術】
【０００２】
従来、画像形成装置は、装置本体に備えた画像読取装置が原稿を読み取った画像情報に基づいて、シートに原稿を複写するようになっており、コピー機がその一例である。
【０００３】
画像読取装置は、原稿ガラス台に載置された原稿に、光を照射して、原稿を読み取るようになっている（特許文献１）。画像読取装置は、光源の光量が多いほど、原稿を確実に読み取ることができる。このため、光源として、主走査方向に沿って配設された蛍光灯が使用されたり、主走査方向に沿って複数配列されたハロゲンランプが使用されたりすることが多い。しかし、省エネ化、照明立ち上がり時間の短縮化に応えるため、光源にＬＥＤを使用されることもある。
【０００４】
図１８は、従来の画像読取装置の光源部分２０１を示す図であり、副走査方向に沿った断面図である。図１９は、図１８のＨ−Ｈ矢視断面図である。
【０００５】
ＬＥＤ２０３は、主走査方向（図１８の紙面の表裏方向。図１９の矢印Ａ方向）に２列、平行に配列されている。ＬＥＤ２０３の光は、原稿ガラス台２０２上の原稿Ｄを照射した後、反射光となってスリット２０４に進入した後、不図示の折り返しミラーやレンズ等を介してＣＣＤやＣＭＯＳセンサのような光電変換素子に集光されて電気信号に変換されるようになっている。スリットは主走査方向Ａに沿って長く形成されている。
【０００６】
なお、画像読取装置は、原稿を読み取る場合、主走査方向に読み取りながら、副走査方向（図１８の矢印Ｂ方向）に設定されたピッチだけ光源部分２０１を移動させて、原稿を読み取る。あるいは、画像読取装置は、光源部分２０１を固定しておいて、原稿Ｄを副走査方向に移動させて原稿を読み取ることもできる。
【０００７】
【特許文献１】特開２００３−２２２９５９号公報
【発明の開示】
【発明が解決しようとする課題】
【０００８】
ところで、ＬＥＤは、蛍光灯やハロゲンランプと比較すると、光を発散することが少なく、原稿を平均的に照射するのが困難である。このため、図１９に示すように、ＬＥＤ同士の間で、光の照射量の少ない部分ＢＫが生じる。このように照射量の少ない暗部ＢＫが生じると、画像形成装置がシートに原稿Ｄを複写したとき、その暗部ＢＫを薄黒く複写して、品質の良い画像をシートＰに形成することができない。
【０００９】
そこで、光が原稿に均一に当たるようにするため、ＬＥＤの数を多くするか、発光量の多いＬＥＤを使用するかが考えられるが、省エネ化、照明立ち上がり時間の短縮化に応えることができない。
【００１０】
また、光が原稿に均一に当たるようにするには、図１９において、原稿ガラス台２０２とＬＥＤ２０３との間隔を広げれば、隣のＬＥＤ同士の照射領域ＷＡが重なって、暗部ＢＫがなくなる。しかし、この場合、ＬＥＤ２２，２３が原稿を照射する光が弱くなり、原稿の読取精度が低下する。また、画像読取装置の高さが高くなる。
【００１１】
さらに、ＬＥＤチップの特性として、ＬＥＤチップ発光部光軸付近は非常に輝度が高いため、原稿が光沢のあるメディアや表面が滑らかで、かつ光を乱反射することの少ない原稿の場合、原稿自体が光を乱反射して拡散することが少ない。このように、原稿からの拡散の少ない反射光がスリット２０４に受光された場合、画像形成装置は、その受光に基づいて、シートに原稿を複写すると、図２０に示すようにＬＥＤチップの発光部光軸付近の輝度の高い部分が副走査方向に沿った縞を形成することになる。したがって、画像形成装置は、品質の良い画像をシートＰに形成することができないことになる。
【００１２】
本発明は、点光源によって原稿を照射するとき、光を拡散して、光量分布を均一にして原稿を照射することによって点光源の写り込みのない画像読取装置を提供することにある。
【００１３】
本発明は、原稿を確実に読み取ることができる画像読取装置を装置本体に備えて、シートに品質の良い画像を複写することができる画像形成装置を提供することにある。
【課題を解決するための手段】
【００１４】
本発明の画像読取装置は、光を通す原稿台上の原稿に、主走査方向に沿って配列された複数の点光源の光を照射して、前記原稿を読み取る画像読取装置において、前記原稿台と前記点光源との間に、前記点光源の光を、前記主走査方向の光量分布を均一にして拡散する拡散部材を備えた、ことを特徴としている。
【００１５】
本発明の画像形成装置は、原稿の画像を読み取る画像読取装置と、前記画像読取装置が読み取った画像情報に基づいてシートに画像を複写する画像形成部と、を備え、前記画像読取装置が、上記に記載の画像読取装置である、ことを特徴としている。
【発明の効果】
【００１６】
本発明の画像読取装置は、拡散部材が点光源の光を、主走査方向の光量分布を均一にして拡散するようになっているので、原稿を均一に照射して、原稿を確実に読み取ることができる。
【００１７】
また、本発明の画像読取装置は、表面が滑らかで、光を乱反射することの少ない原稿であっても、反射光を集中的に受光することがなく、原稿を確実に読み取ることができる。
【００１８】
本発明の画像形成装置は、原稿を確実に読み取ることができる画像読取装置を備えているので、シートに原稿を確実に複写することができる。
【発明を実施するための最良の形態】
【００１９】
以下、本発明の実施形態の画像読取装置と、この画像読取装置を装置本体に備えた画像形成装置とを図に基づいて説明する。なお、本実施形態で取り上げている数値は、参考数値であって、本発明を限定する数値ではない。
【００２０】
（画像形成装置）
図１は、本発明の実施形態における画像読取装置を装置本体に備えた画像形成装置のシート搬送方向に沿った断面図である。
【００２１】
画像形成装置１５１は、装置本体１５２と、装置本体１５２上に装備された画像読取装置１１と、画像読取装置１１に原稿を自動的に供給する原稿自動供給装置１５５とを備えている。画像読取装置１１は、装置本体１５２に組み込まれていてもよい。また、原稿自動供給装置１５５は、必ずしも備えている必要がない。
【００２２】
画像読取装置１１で読み取られた原稿の画像情報は、コントローラ１６１に入力される。コントローラ１６１は、画像情報から形成した画像信号をレーザビームスキャナ１６２に供給する。レーザビームスキャナ１６２は、矢印方向に回転する感光体ドラム１６３に走査ビームを照射して静電潜像を形成する。感光体ドラム１６３の表面は、静電潜像が形成される前に、一次帯電器１６４によって一様に帯電されている。感光体ドラム１６３の表面の静電潜像は、現像器１６５によってトナー現像されて、トナー画像となる。一次帯電器１６４、感光体ドラム１６３、現像器１６５等は、画像形成部１７６を構成している。
【００２３】
一方、感光体ドラム１６３の下方に配置されたカセット１６７には、シートＰが中板１７５に積載されて収納されている。ピックアップローラ１６６は、カセット１６７からシートＰを送り出して搬送ローラ対１６８へ給送する。搬送ローラ対１６８は、シートＰをレジストローラ対１６９に送り込む。
【００２４】
レジストローラ対１６９は、回転を停止している状態でシートを受け止めて、シートＰに撓みを形成させて、シートＰの斜行を真っ直ぐに直す。その後、レジストローラ対１６９は、回転を開始して、シートＰの先端を感光体ドラム１６３上のトナー画像に合わせて、転写器１７０と感光体ドラム１６３との間に送り込む。転写器１７０は、シートＰを帯電して感光体ドラム１６３からシートＰへトナー画像を転写する。
【００２５】
搬送ベルト１７１は、シートを感光体ドラム１６３から定着器１７２に送り込む。定着器１７２は、シートを加熱加圧して、シートにトナー画像を定着した後、そのシートをシート排出トレイ１７３に排出する。感光体ドラム１６３の表面に残ったトナーは、クリーナ１７４によって、除去される。
【００２６】
（画像読取装置）
図２は、本発明の第１実施形態における画像読取装置の概略平面図である。図３は、イメージセンサの概略外観斜視図である。図４は、図３のＣ−Ｃ矢視断面図である。図５は、図４におけるＬＥＤとその周辺の拡大図である。図６は、図５のＥ−Ｅ矢視断面図である。図７は、拡散部材の外観斜視図である。図８は、ＬＥＤが原稿を照射する光の広がりを平面的に示した図である。
【００２７】
（第１実施形態の画像読取装置）
画像読取装置１１は、原稿が載置されるか、或いは原稿自動供給装置１５５（図１）によって原稿が送り込まれてくる原稿ガラス台４１，４２と、原稿を読み取るイメージセンサ１３と、イメージセンサを副走査方向へ案内するガイドシャフト１４Ａ，１４Ｂ等を備えている。光を通す原稿台である例えば、原稿ガラス台４１，４２は、ステー４３によって仕切られている。なお、主走査方向は矢印Ａ方向であり、副走査方向は矢印Ｂ方向である。
【００２８】
イメージセンサ１３は、モータ１５によって循環するベルト１６に接続されている。イメージセンサ１３は、通常、センサ１７に検知されて、ホームポジションに待機している。
【００２９】
図３において、イメージセンサ１３は、一方のガイドシャフト１４Ａに支持されて、副走査方向Ｂへ移動案内され、他方のガイドシャフト１４Ｂに単に乗った状態で支持されている。したがって、イメージセンサ１３は、ガイドシャフト１４Ａ，１４Ｂに対して、軋むことなく、円滑に副走査方向Ｂへ均一の速度で往復移動できるようになっている。このため、画像読取装置１１は、原稿をむら無く、均一に読み取ることができる。
【００３０】
イメージセンサ１３は、ガイドシャフト１４Ａ，１４Ｂに支持された本体２１と、原稿ガラス台４１，４２上の原稿Ｄを照射する点光源である例えばＬＥＤ２２，２３と、ＬＥＤ２２，２３の光を拡散する拡散部材２４，２５（図４乃至図７）等を備えている。また、イメージセンサ１３は、原稿Ｄからの反射光を受け入れるスリット２６（図４、図５）を備えている。スリット２６は、主走査方向に沿って長く形成されている。さらに、イメージセンサ１３は、スリット２６で受光した光の光路を作る５枚のミラー３１乃至３５と、ミラー３５からの光を集光する集光レンズ３６と、集光レンズによって集光された光を受光して電気信号に変換する光電変換素子としてのＣＣＤ３７も備えている。
【００３１】
なお、集光レンズ３６と、ＣＣＤ３７は、イメージセンサ１３の本体２１に設けられて、本体２１と一体に移動するようになっているが、画像読取装置１１の本体に固定されていてもよい。その場合の集光レンズ３６と、ＣＣＤ３７は、イメージセンサ１３の移動領域の端に設けられている。
【００３２】
なお、各図において、原稿Ｄは、原稿ガラス台４２から浮いているように図示してあるが、これは、図を理解し易くするものであって、原稿ガラス台４２に密着しているものとする。
【００３３】
図２において、ＬＥＤ２２，２３は、主走査方向Ａに沿って配列され、その列が平行に副走査方向に互いに離間して２列配列（複数列配列）されている。ＬＥＤ２２，２３は、図８に示すように、原稿ガラス台上の原稿Ｄの照射効率を高めるため、副走査方向Ｂにおいて隣のＬＥＤ２２，２３同士が、互いに間に位置するように配設されている。すなわち、主走査方向Ａに沿って２列に配列されたＬＥＤ２２，２３は、平面的に見ると、所謂、千鳥に配列されている。また、図４、図５に示すように、主走査方向に沿って２列に配列されたＬＥＤ２２，２３は、互いに向き合うように多少傾いて本体２１に設けられている。
【００３４】
拡散部材２４，２５は、主走査方向に沿って配列された複数のＬＥＤ２２，２３を覆って本体２１に設けられているカバーでもある。拡散部材２４，２５（図５）は、イメージセンサ１３の本体２１に形成された孔２１ａ，２１ｂに係合する突片２４ｂ，２５ｂと弾性片２４ｃ，２５ｃとを備えている。拡散部材２４，２５は、弾性片２４ｃ，２５ｃを撓ませることによって本体２１に対して着脱できるようになっている。
【００３５】
拡散部材２４，２５は、ＬＥＤ２２，２３の光を通すガラス、アクリル、ポリカーボネート樹脂等の透光性の部材で形成されている。また、拡散部材２４，２５は、ＬＥＤ２２，２３の約６０度の発熱に耐えられるように、約９０度の熱に耐えられる耐熱性を備えている。
【００３６】
拡散部材２４，２５のＬＥＤ２２，２３を覆っている対向する部分２４ａ，２５ａは、凸レンズのような突出した半球状に形成されて、ＬＥＤ２２，２３の光を拡散する拡散部となっている。
【００３７】
なお、原稿ガラス台４２とＬＥＤ２２，２３との間は約５ｍｍ空いている。拡散部２４ａ，２５ａの厚みは、約２ｍｍである。
【００３８】
画像読取装置の動作を説明する。
【００３９】
原稿の読取動作には、流し読みと、固定読みとがある。
【００４０】
まず、流し読みについて説明する。流し読みは、原稿Ｄを移動させ、イメージセンサ１３を固定させて原稿を読むようになっている。
【００４１】
原稿自動供給装置１５５（図１）は、原稿トレイ１５６上の原稿Ｄを、原稿ガラス台４１を通過させて原稿排出トレイ１５７に排出する。このとき、イメージセンサ１３は、原稿ガラス台４１の下に移動して停止しており、原稿ガラス台４１上を通過する原稿ＤにＬＥＤ２２，２３の光を照射して、原稿を読み取る。原稿を読み取る動作は、後述する。原稿ガラス台４１は、原稿を通過させて、イメージセンサ１３に原稿を読み取らせるガラス台であるので、流し読み用の原稿ガラス台である。
【００４２】
次に、固定読みについて説明する。固定読みは、原稿Ｄを固定させ、イメージセンサ１３を移動させて原稿を読むようになっている。
【００４３】
ユーザは、原稿自動供給装置１５５を後方に開いて、原稿ガラス台４２を開放する。そして、ユーザは、原稿ガラス台４２に原稿を載置して、原稿自動供給装置１５５を閉じる。この結果、原稿は、原稿自動供給装置１５５によって原稿ガラス台４２に押圧されて密着させられる。その後、イメージセンサ１３は、副走査方向Ｂに移動しながら、原稿ＤにＬＥＤ２２，２３の光を照射して、原稿を読み取る。原稿を読み取る動作は、後述する。このように、原稿ガラス台４２は、原稿を載置されて、移動するイメージセンサ１３に原稿を読み取らせるガラス台であるので、固定読み用の原稿ガラス台である。
【００４４】
イメージセンサ１３の原稿読み取り動作を説明する。流し読みにしろ、固定読みにしろ、原稿とイメージセンサとを相対移動させて原稿を読み取るようになっており、イメージセンサ１３の読み取り動作そのものは同一である。したがって、固定読みにおけるイメージセンサ１３の読み取り動作を説明する。
【００４５】
ＬＥＤ２２，２３は、原稿Ｄを照射している。イメージセンサ１３は、主走査方向Ａに配列された各ＬＥＤ２２，２３が原稿を照射した各反射光を主走査方向Ａに、ミラー３１乃至３５に順次反射されて集光レンズ３６で集光されて、ＣＣＤ３７で電気信号に変換される。
【００４６】
イメージセンサ１３は、主走査方向Ａを読取ながら、原稿ガラス台４２の下を、ガイドシャフト１４Ａ，１４Ｂの案内と、ベルト１６の牽引とによって、副走査方向Ｂに所定のピッチだけ移動しながら読取を行う。このように、イメージセンサ１３は、主走査方向Ａの読取と、副走査方向Ｂへ読取動作をしながら移動し、それによって得た電気信号を画像信号として、画像形成装置１５１の装置本体１５２（図１）に送る。装置本体１５２は、画像読取装置１１からの、画像信号に基づいて、シートに原稿を複写する。
【００４７】
次に、拡散部材がＬＥＤ２２，２３の光を拡散して、画像読取装置１１の読取精度を向上させることができることについて説明する。
【００４８】
図４乃至図６に示すように、ＬＥＤ２２，２３から発した光は、拡散部材２４，２５の凸レンズ状の拡散部２４ａ，２５ａを通過することによって、一旦、収束された後、拡散されて原稿Ｄを照射し、反射光となって、スリット２６に受光される。このように、ＬＥＤ２２，２３は、光を発散して発することが少なくても、拡散部２４ａ，２５ａによって光を拡散されるので、図６に示すように、主走査方向において、従来と異なって暗部ＢＫ（図１９）を生じることなく、光量分布を均一にして原稿を照射することができる。しかも、原稿台ガラス４２の上面４２ａは、隣同士のＬＥＤの２２の拡散された光の交点Ｋ（図６）より上方に位置している。このため、隣同士のＬＥＤの照射領域ＷＡが重なって、原稿を照射することができる。また、図８に示すように、ＬＥＤ２２，２３は、所謂、千鳥に配列されて、円形の照射領域ＷＡを重ならせ、原稿全体を効率よく照射するようになっている。
【００４９】
このため、画像読取装置１１は、原稿を確実に読み取ることができる。このため、画像形成装置１５１は、画像読取装置１１の画像情報に基づいて、品質の良い画像をシートＰに形成することができる。また、高速読取にも対応することができる。
【００５０】
また、画像読取装置は、ＬＥＤ２２，２３の光を拡散部２４ａ，２５ａで積極的に拡散させて、隣のＬＥＤ同士の照射領域ＷＡが重なるようにしている。このため、ＬＥＤと原稿ガラス台４２との間隔が狭くなり、ＬＥＤ２２，２３が原稿を照射する光が強くなる。よって、画像形成装置は、読取精度を向上させることができる。また、画像読取装置の高さを低くすることができる。
【００５１】
また、原稿が光沢のあるメディアや表面が滑らか原稿の場合、原稿自体が光を乱反射して拡散することが少ない。しかし、光を乱反射することの少ない光沢のあるメディアや表面が滑らかな原稿であっても、ＬＥＤ２２，２３の光は、拡散部材２４，２５の凸レンズ状の拡散部２４ａ，２５ａによって拡散されて、原稿を照射する。このため、原稿からの反射光が点として受光されることが無くなり、画像形成装置は、図２０に示す縞を形成することなく、品質の良い画像をシートＰに形成することができる。
【００５２】
なお、ＬＥＤは、千鳥に配列されていなくても、拡散部によって、原稿全体を照射することができる。このことによってＬＥＤ基板の共通化をすることもでき、コスト面でも有利になる。
【００５３】
（第２実施形態の画像読取装置）
図９乃至図１１に示す第２実施形態の画像読取装置２１１における拡散部材２７，２８は、拡散部２７ａ，２８ａを凹レンズ状にへこんだ半球状に形成されている。拡散部材２７，２８も拡散部材２４，２５と同様にＬＥＤ２２，２３を覆うカバーの役目もしている。
【００５４】
図９乃至図１１に示すように、ＬＥＤ２２，２３から発した光は、拡散部材２７，２８の凹レンズ状の拡散部２７ａ，２８ａを通過することによって、拡散され、原稿Ｄを照射し、反射光となって、スリット２６に進入する。このように、ＬＥＤ２２，２３は、光を発散して発することが少なくても、拡散部２７ａ，２８ａによって光を拡散されるので、図１０に示すように、主走査方向において、従来と異なって暗部ＢＫ（図１９）を生じることなく、光量分布を均一にして原稿を照射することができる。
【００５５】
このため、画像読取装置２１１は、原稿を確実に読み取ることができる。このため、画像形成装置１５１は、画像読取装置２１１の画像情報に基づいて、品質の良い画像をシートＰに形成することができる。また、高速読取にも対応することができる。
【００５６】
また、画像読取装置は、ＬＥＤ２２，２３の光を拡散部２７ａ，２８ａで積極的に拡散させて、隣のＬＥＤ同士の照射領域ＷＡが重なるようにしている。このため、ＬＥＤと原稿ガラス台４２との間隔が狭くなり、ＬＥＤ２２，２３が原稿を照射する光が強くなる。よって、画像形成装置は、読取精度を向上させることができる。また、画像読取装置の高さを低くすることができる。
【００５７】
また、光を乱反射することの少ない光沢のあるメディアや表面が滑らかな原稿の場合でも、ＬＥＤ２２，２３の光は、拡散部材２７，２８の凹レンズ状の拡散部２７ａ，２８ａによって拡散されて、原稿を照射する。このため、原稿からの反射光が点として受光されることが無くなり、画像形成装置は、図２０に示す縞を形成することなく、品質の良い画像をシートＰに形成することができる。
【００５８】
（第３実施形態の画像読取装置）
図１２乃至図１５に示した第３実施形態の画像読取装置３１１における拡散部材４４，４５は、ＬＥＤ２２，２３に対向する部分に凹レンズ状の拡散部４４ａ，４５ａが形成されている。また、原稿ガラス台４２に対向する部分には、凹レンズ状の屈折部４４ｄ，４５ｄが形成されている。拡散部４４ａ，４５ａの最もへこんだ部分と、屈折部４４ｄ，４５ｄのへこんだ部分は、対向している。拡散部材４４，４５の側面４４ｅ，４５ｅには、拡散部材４４，４５の周囲から光が漏れないようにする光漏洩防止剤である例えば銀色、白色等のペンキが塗布されている。
【００５９】
ＬＥＤ２２，２３の光は、凹レンズ状の拡散部４４ａ，４５ａの部分で拡散されて拡散部材４４，４５を通過し、凹レンズ状の屈折部４４ｄ，４５ｄで平行な光となって、原稿ガラス台４２に対して直角になって原稿Ｄを照射する。平行な光は、図１９に示す暗部ＢＫが生じないように、原稿Ｄを照射する。なお、拡散部は、凸レンズ状に形成されていてもよい。この場合においても、ＬＥＤの光は、原稿ガラス台４２に対して直角になって原稿Ｄを照射される。
【００６０】
拡散部材４４，４５は、図１２に示すように互いに向き合うように傾斜して本体２１に設けられている。このため、ＬＥＤ２２，２３の光は、原稿で反射して、スリット２６に進入する。また、ＬＥＤ２２，２３の光の照射領域ＷＢは、図１５に示すように、主走査方向Ａにおいて、隣接し、副走査方向Ｂにおいて重なっている。
【００６１】
第３実施形態の画像読取装置３１１は、第１、第２実施形態の画像読取装置１１，２１１と同様な効果を奏する。
【００６２】
また、第３実施形態の画像読取装置３１１は、主走査方向において平行で、かつ原稿に対して直角な光で原稿を照射するので、原稿からの反射光を正確にスリット２６に進入させることができ、原稿の読取を正確に行うことができる。
【００６３】
（第４実施形態の画像読取装置）
図１６、図１７に示した第４実施形態の画像読取装置４１１における拡散部材４６，４７は、ＬＥＤ２２，２３に対向する部分に凹レンズ状の拡散部４６ａ，４７ａが形成されている。また、原稿ガラス台４２に対向する部分には、鋸歯状（フレネルレンズ状）の屈折部４６ｄ，４７ｄが形成されている。屈折部４６ｄ，４７ｄは、第３実施形態の拡散部材４４，４５における凹レンズ状の屈折部４４ｄ，４５ｄを、主走査方向に複数に分割して、鋸歯状の頂部の高さを揃えて配列した形状になっている。このため、屈折部４６ｄ，４７ｄの各分割部分４６ｄａ，４７ｄａの表面は、凹レンズの一部分を形成するような円弧面に形成されている。なお、円弧面の代わりに、円弧面に沿った形状の傾斜面に形成されていてもよい。拡散部４６ａ，４７ａの最もへこんだ部分と、鋸歯状の屈折部４６ｄ，４７ｄの主走査方向の中心とは、対向した位置に設定されている。拡散部材４６，４７の側面４６ｅ，４７ｅには、拡散部材４６，４７の周囲から光が漏れないようにする光漏洩防止剤である例えば銀色、白色等のペンキが塗布されている。
【００６４】
ＬＥＤ２２，２３の光は、凹レンズ状の拡散部４６ａ，４７ａの部分で拡散されて拡散部材４６，４７を通過し、階段状の屈折部４６ｄ，４７ｄで平行な光となって、原稿ガラス台４２に対して直角になって原稿Ｄを照射する。平行な光は、図１９に示す暗部ＢＫが生じないように、原稿Ｄを照射する。なお、拡散部は、凸レンズ状に形成されていてもよい。この場合においても、ＬＥＤの光は、原稿ガラス台４２に対して直角になって原稿Ｄを照射される。
【００６５】
拡散部材４６，４７は、図１７に示すように互いに向き合うように傾斜して本体２１に設けられている。このため、ＬＥＤ２２，２３の光は、原稿で反射して、スリットに進入する。また、ＬＥＤ２２，２３の光の照射領域ＷＢは、図１５に示すのと同様に、主走査方向Ａにおいて、隣接し、副走査方向Ｂにおいて重なっている。
【００６６】
第４実施形態の画像読取装置４１１は、第１、第２実施形態の画像読取装置１１，２１１と同様な効果を奏する。さらに、本実施形態の画像読取装置の屈折部４６ｄ，４７ｄは、第３実施形態のレンズ状の屈折部４４ｄ，４５ｄを鋸歯状に形成してあるので、第３実施形態のレンズ状の屈折部４４ｄ，４５ｄよりも高さを低くすることができる。すなわち、図１６に示す屈折部４６ｄの高さ（Ｈ１）は、図１３に示す屈折部４４ｄの高さ（Ｈ２）より低くなっている（Ｈ１＜Ｈ２）。これによって、第４実施形態の画像読取装置４１１は、第３実施形態の画像読取装置３１１よりも高さを低くすることができる。
【００６７】
また、第４実施形態の画像読取装置４１１は、主走査方向において平行で、かつ原稿に対して直角な光で原稿を照射するので、原稿からの反射光を正確にスリット２６に進入させることができ、原稿の読取を正確に行うことができる。
【図面の簡単な説明】
【００６８】
【図１】本発明の実施形態における画像読取装置を装置本体に備えた画像形成装置のシート搬送方向に沿った断面図である。
【図２】本発明の第１実施形態における画像読取装置の概略平面図である。
【図３】イメージセンサの概略外観斜視図である。
【図４】図３のＣ−Ｃ矢視断面図である。
【図５】図４におけるＬＥＤとその周辺の拡大図である。
【図６】図５のＥ−Ｅ矢視断面図である。
【図７】図４の拡散部材の外観斜視図である。
【図８】ＬＥＤが原稿を照射する光の広がりを平面的に示した図である。
【図９】第２実施形態の拡散部材を備えたＬＥＤとその周辺の拡大図である。
【図１０】図９のＦ−Ｆ矢視断面図である。
【図１１】図９、図１０の拡散部材の外観斜視図である。
【図１２】第３実施形態の拡散部材を備えたＬＥＤとその周辺の拡大図である。
【図１３】図１２のＧ−Ｇ矢視断面図である。
【図１４】図１２、図１３に示す拡散部材の外観斜視図である。
【図１５】図１２に示す拡散部材によってＬＥＤが原稿を照射する照射領域を示す図である。
【図１６】第４実施形態の拡散部材の主走査方向に沿った断面図である。
【図１７】図１６の拡散部材の外観斜視図である。
【図１８】従来の画像読取装置の光源部分を示す図であり、副走査方向に沿った断面図である。
【図１９】図１８のＨ−Ｈ矢視断面図である。
【図２０】従来の画像読取装置が読み込んだ画像情報に基づいて、画像形成装置がシートに画像を形成したときのシートの図である。
【符号の説明】
【００６９】
Ｄ      原稿
Ｐ      シート
ＷＡ      照射領域
ＷＢ      照射領域
１１      第１実施形態の画像読取装置
１３      イメージセンサ
２２      ＬＥＤ（点光源）
２３      ＬＥＤ（点光源）
２４      拡散部材（カバー）
２４ａ    拡散部
２５      拡散部材（カバー）
２５ａ    拡散部
２６      スリット
２７      拡散部材（カバー）
２７ａ    拡散部
２８      拡散部材（カバー）
２８ａ    拡散部
４１      流し読み用の原稿ガラス台（原稿台）
４２      固定読み用の原稿ガラス台（原稿台）
４４      拡散部材
４４ａ    拡散部
４４ｄ    屈折部
４５      拡散部材
４５ａ    拡散部
４５ｄ    屈折部
４６      拡散部材
４６ａ    拡散部
４６ｄ    屈折部
４６ｄａ  分割部分
４７      拡散部材
４７ａ    拡散部
４７ｄ    屈折部
４７ｄａ  分割部分
１５１      画像形成装置
１７６      画像形成部
２１１      第２実施形態の画像読取装置
３１１      第３実施形態の画像読取装置
４１１      第４実施形態の画像読取装置
【図１】
2008271158.tif 000003
【図２】
2008271158.tif 000004
【図３】
2008271158.tif 000005
【図４】
2008271158.tif 000006
【図５】
2008271158.tif 000007
【図６】
2008271158.tif 000008
【図７】
2008271158.tif 000009
【図８】
2008271158.tif 000010
【図９】
2008271158.tif 000011
【図１０】
2008271158.tif 000012
【図１１】
2008271158.tif 000013
【図１２】
2008271158.tif 000014
【図１３】
2008271158.tif 000015
【図１４】
2008271158.tif 000016
【図１５】
2008271158.tif 000017
【図１６】
2008271158.tif 000018
【図１７】
2008271158.tif 000019
【図１８】
2008271158.tif 000020
【図１９】
2008271158.tif 000021
【図２０】
2008271158.tif 000022